(57)【要約】【課題】医師の診断を必要とせず、単純で誰にでも容易に使用可能で、安価でポケットに入れて持ち運べ、個人差による太さの違いに容易に適合可能であって、男性性器８に痛みを与えず、くくり締めた状態から素早く解放することができる、ＥＤ患者用補助バンドを提供することを目的としている。【解決手段】ストッパ５ｄ、７ｄを有する止具２、７と、球鎖３若しくは砲弾鎖１１と、これらを覆うチューブ４であって柔軟性を有するものとでＥＤ患者用補助バンド１、１０を構成した。また、止具２１と、複数の溝２２ａを有するベルト２２と、ベルト２２を覆うチューブ２３とで構成するＥＤ患者用補助バンド２０であって、止具２１は１方向にのみ回転する歯付車２７を有するものとする。また、リングストッパ１４と、両面に複数の溝１６ｃを有するベルト１６と、ベルト１６を覆うチューブ１５とで構成するＥＤ患者用補助バンド１２とする。【選択図】図１
2005261439.tif 000002
【特許請求の範囲】
【請求項１】
止具と、これと一端において直接連結する球鎖又は紐等を介して連結する球鎖と、前記球鎖又は紐等を覆うチューブとで構成するＥＤ患者用補助バンドであって、前記止具は前記球鎖の球部を止めるストッパを有し、前記チューブは柔らかな材料からなることを特徴とするＥＤ患者用補助バンド。
【請求項２】
請求項１に記載したＥＤ患者用補助バンドであって、チューブが円筒断面又は楕円筒断面の形状を有し、その一部を止具の底面に接着したことを特徴とするＥＤ患者用補助バンド。
【請求項３】
請求項１又は請求項２に記載したＥＤ患者用補助バンドであって、止具は溝形断面をしており、その内側にストッパを取り付けてなることを特徴とするＥＤ患者用補助バンド。
【請求項４】
請求項１又は請求項２に記載したＥＤ患者用補助バンドであって、止具をケースと鋤とで構成し、前記ケースの入口近くにストッパを取り付け、
前記鋤は球鎖より大きな開口を有する板部と、前記板部に対し鋭角的に結合させたアーム部とからなり、前記板部と前記アーム部が結合する位置あたりに回転軸を設け、
前記回転軸を前記ケースの出口近くに取り付け、前記回転軸を中心として前記鋤を揺動可能に取り付けたことを特徴とするＥＤ患者用補助バンド。
【請求項５】
請求項１乃至請求項４のいずれかに記載したＥＤ患者用補助バンドであって、球鎖に変えて、砲弾形状を有する砲弾部を連結してなる砲弾鎖としたことを特徴とするＥＤ患者用補助バンド。
【請求項６】
止具と、これと一端において連結するベルトと、前記ベルトを覆うチューブとで構成するＥＤ患者用補助バンドであって、
前記止具は１方向にのみ回転する歯付車を有し、前記ベルトの先端部に複数の溝を設け、前記歯付車の歯のピッチと前記ベルトの溝のピッチを互いにかみ合うように一致させ、
前記歯付車の外側に、前記歯付車の外周との隙間が前記ベルトの薄部の厚さより大きく、かつ、前記ベルトの厚部の厚さより小さな隙間（以下単に「溝付ベルト用隙間」という。）を設けたことを特徴とするＥＤ患者用補助バンド。
【請求項７】
請求項６に記載したＥＤ患者用補助バンドであって、止具をケースと蓋とで構成し、
前記蓋に軸と１方向クラッチと歯付車を設け、さらに、前記ケースに対し回転軸を中心として前記蓋を揺動可能に取り付け、
前記歯付車と前記ケースの内面との間に溝付ベルト用隙間を設けたことを特徴とするＥＤ患者用補助バンド。
【請求項８】
リングストッパと、これと一端において連結するベルトと、前記ベルトを覆うチューブとで構成するＥＤ患者用補助バンドであって、前記ベルトの先端部の両面には複数の溝部を設け、
前記リングストッパは輪部と、上ストッパと下ストッパとで構成し、前記上ストッパと前記下ストッパとの隙間は、前記ベルトの厚部の厚さより小さく、かつ、前記ベルトの薄部より大きな隙間とし、
前記チューブは柔らかな材料からなることを特徴とするＥＤ患者用補助バンド。
【発明の詳細な説明】
【０００１】
【発明の属する技術分野】
この発明は勃起障害（以下単に「ＥＤ」という。）を有する患者が満足な性交渉を行うために有用なＥＤ患者用補助バンドに関するものであり、特に男性性器をくくり締めることにより勃起を助長しさらに勃起を維持させることにより、多くの夫婦が持っている自分たちの性生活への不満を解決することに関する。
【０００２】
【従来の技術】
通常は男性が性的興奮をすることにより、動脈を圧迫している平滑筋を弛緩させる化学物質が増加され、動脈の圧迫がなくなり海綿体に多量に血液が流れ込み、男性性器が膨張すると共に静脈が圧迫され血液の流出をおさえることにより男性性器は膨張して勃起する。
ところがストレスやマンネリなどの精神的な問題により性的興奮がなくなったり、加齢により血管系統や神経系の病気にかかり十分な血液が流入しなくなったりするなどの原因によりＥＤは引き起こされると考えられている。
日本性機能学会のメンバーが西暦２０００年に日本国内において行ったアンケート結果によると、既婚男女のうちの約３０％がＥＤの悩みを持っており、性生活の満足度について「とても満足」又は「まあ満足」と答えたは、夫がＥＤでない女性では５５．９％だったのに対し夫がＥＤの女性は２３．６％と低く、ＥＤはパートナーの満足度に大きな影響を与えているとのことであった。
日本人男性のＥＤ有病率は加齢と共に上昇する傾向を有しているが、年を取ったからといって性的要求がなくなることはなく、夫婦が仲良く暮らすためには豊かな性生活は大切なものである。
【０００３】
従来からＥＤ患者に対する薬としてバイアグラが知られている。また、男性性器にシリンダをかぶせてポンプなどでシリンダの中を真空にして男性性器を勃起させる補助具がある。日本国に出願された例として特開昭６２−２９８３５２号や実開平６−７４１１９号などが挙げられる。
さらに、バンド状の補助具を男性性器の根元に取り付け勃起時の膨張する力を利用して静脈を締め付ける発明（特開昭５５−１５５６４４号）や考案（実開昭６２−８２０２５号）も提案されている。
しかし、バイアグラのような薬は心臓に対する負担が大きく死亡に至る例もあるため、日本国では医師の処方を必要とする薬に定められている。このため医師による診断を望まないＥＤ患者や心臓に疾患のあるＥＤ患者にはバイアグラのような薬を使用することはできない問題がある。
また、男性性器にシリンダをかぶせてポンプなどでシリンダの中を真空にする補助具は、構造が複雑で取り扱いに熟練を要したり、補助具が持ち運びに適さず高価となるなどの問題を有していた。
また、従来のバンド状の補助具を男性性器の根元に取り付ける方法には、取り付け寸度が男性性器の個人差による太さの違いに容易に適合しない問題や、男性性器の寸法に合わせて取り付けることはできても、膨張前の男性性器には十分な拘束力を与えることができず、男性性器が十分膨張しない場合は効果を挙げることができなかった。
【０００４】
また、球状体を連結部で連結した装着バンドや、孔のある球状体をゴムひもを通して連結した装着バンドの発明（特開平３−１４９０４３号）の提案もなされている。
しかしかかる発明は、強く締め付けることを目的としておらず、単に脱落することのない装着バンドであって、性感の盛り上がりを経験できる装着バンドを提供することを目的としており、本願発明とは目的や効果が異なる。
さらに、かかる発明を使用して男性性器をくくり締めようとすれば、球状体が局部的に男性性器を締め付けるため苦痛を感じるだけで、本願発明の目的たる男性性器をくくり締めて静脈を狭め、積極的に男性性器の勃起を起こす効果は得られない。
また、被縛物を必要な緊縛度に緊縛する発明（特公告昭５２−１６６７９号）もなされている。しかし係る発明品を使用する場合は、コードの両端を引っ張りながら固定板をコード間に押し込む必要がある。
男性性器に拘束力を与える為には、コードを引っ張るときに９．８〜１９．６ニュートン（１〜２ｋｇｆ）程度の力が必要である。また片手では両端のコードを引っ張ることはできず両手を必要とするので、他人に固定板をコード間に押し込んでもらわなければならず、使用者が１人で装着できない問題があった。
また、実開平６−７４１１９号には男性性器の緊張バンドの考案が開示されており、前記緊張バンドを膨張後の男性性器に取り付けて強い緊張力を与えることを目的としているが、バンド本体、突部、輪部などが緊張力により皮膚に押し付けられ、男性性器に痛みを与える問題があった。
さらに、従来の緊張バンドには素早く解放することができない問題もあった。緊張バンドにより男性性器を緊張して人工的におこしたいわゆるチアノーゼの状態を続け、血液の循環を長時間途絶すると障害を引き起こす危険性が高いので、素早く解放する機構は重要である。
【０００５】
【発明が解決しようとする課題】
本発明は上記のような従来技術の欠点をなくすためなされたもので、医師の診断を必要とせず、単純で誰にでも容易に使用可能で、安価でポケットに入れて持ち運べる、ＥＤ患者用補助バンドを提供することを目的としている。
また、男性性器の個人差による太さの違いに容易に適合可能であって、膨張前の男性性器をくくり締めて静脈を狭め静脈の鬱血を促し、積極的に男性性器の勃起を起こす機能を持った、ＥＤ患者用補助バンドを提供することを目的としている。
また、皮膚に接する部分を柔らかな素材のチューブで覆うことにより男性性器に痛みを与えず、かつ、くくり締めた状態から素早く解放することができる、ＥＤ患者用補助バンドを提供することを目的としている。
さらに、使用者が自分一人で脱着することを可能としたＥＤ患者用補助バンドとすることにより、装着時に他人の協力を要する発明の持つ、他人の協力を求めるための精神的負担を解消し、積極的に使用する意欲の持てるＥＤ患者用補助バンドを提供することにある。
【０００６】
【課題を解決するための手段】
本発明は、止具と、これに直接連結した球鎖若しくは砲弾鎖又は紐等を介して連結した球鎖若しくは砲弾鎖と、球鎖や砲弾鎖や紐等を覆うチューブであって柔軟性を有するものとでＥＤ患者用補助バンドを構成し、止具とチューブの長さを加えた合計寸法Ｅは膨張前の概略の男性性器の外周長さに合わせ、球鎖又は砲弾鎖はチューブの先端より所定の長さＦだけ長くしておく。
ここで、球鎖とは球形の球部を連結部で連結してなる鎖をいい、砲弾鎖とは円柱体と楕円球体の半分又は球体の半分を結合させた、いわゆる砲弾形状を有する砲弾部を連結部で連結してなる鎖をいい、紐等には布や革の紐のほかロープ、釣り糸、ワイヤ、チェンなど自由に折り曲げ可能で張力を伝えることができるものを含むものとする。
そして止具はストッパを有し、このストッパにより球鎖の球部の直径又は砲弾鎖の砲弾部の円柱体の直径よりも狭く連結部よりも広いスリットを構成するか、あるいはストッパをバネ材で構成してバネを押し広げることにより、入口側から出口側の方向には球鎖の球部又は前記砲弾鎖の砲弾部を通すが逆方向には通さないようにしたＥＤ患者用補助リングとする。
また他の発明は、止具を溝形断面のケースと鋤とで構成し、ケースの内部の入口側に上記したようなスリットを有するストッパ又はバネ材のストッパを設け、ケースの出口側の上部に軸穴を明けておく。
そして鋤は、球鎖の球部の直径又は砲弾鎖の砲弾部の円柱体の直径より大きな開口を有する板部と、板部に対し鋭角的に結合させたアーム部と、板部とアーム部が結合する位置あたりに設けた回転軸とで構成する。そして、板部の幅をケースの内幅より小さくしておき、回転軸をケースの軸穴に取り付け、回転軸を中心として鋤を揺動可能に取り付けたＥＤ患者用補助バンドとする。
【０００７】
また他の発明は、止具と、止具と一端において連結するベルトと、ベルトを覆うチューブとで構成するＥＤ患者用補助バンドであって、止具は１方向にのみ回転する歯付車を有し、ベルトの先端部に複数の溝を設ける。
そして、歯付車の歯のピッチと前記ベルトの溝のピッチを互いにかみ合うように一致させ、歯付車の外側に溝付ベルト用隙間を設けたＥＤ患者用補助バンドとする。
さらに他の発明は、止具をケースと蓋とで構成し、蓋に１方向クラッチと歯付車と軸からなる１方向にのみ回転する歯付車を設け、蓋をケースに対し回転軸を中心として揺動可能に取り付ける。
そして、歯付車とケースの内面との間に溝付ベルト用隙間を設けたことを特徴とするＥＤ患者用補助バンドとする。
また他の発明は、リングストッパと、これと一端において連結するベルトと、ベルトを覆うチューブとで構成するＥＤ患者用補助バンドであって、ベルトの先端部の両面には複数の溝部を設け、
リングはバネ材からなる輪部と、上ストッパと下ストッパとで構成し、上ストッパと下ストッパとの隙間は、ベルトの厚部の厚さより小さく、かつ、ベルトの薄部の厚さより大きな隙間としたことを特徴とするＥＤ患者用補助バンドとする。
【０００８】
【発明の実施の形態】
本発明に係るＥＤ患者用補助バンドの第１実施例を図１乃至図５に示し、第２実施例を図６乃至図８に示し説明する。これらの実施例に係るＥＤ患者用補助バンド１、１０は、止具２とこれに連結した球鎖３又は砲弾鎖１１と、球鎖３又は砲弾鎖１１を覆うチューブ４であって柔軟性を有するものとで構成する。
止具２とチューブ４の長さの合計寸法Ｅは膨張前の男性性器８の概略の外周長さに合わせる。日本人の場合のＥ寸法は６〜９ｃｍ特に７〜８ｃｍが好ましい。本実施例では８ｃｍとした。個人差に合わせ段階的に用意すればよい。
Ｅ寸法は男性性器に取り付けたときにぴったり一周する寸法が好ましいが、チューブ４が柔軟性を有するのでＥ寸法が多少長くなっても構わないし、Ｅ寸法が多少短くなってもただちに球鎖３や砲弾鎖１１が直接男性性器８に触れるものではなく問題とならない。さらに使用者自身が自分のサイズに合わせてチューブ４の長さを切断する方法も考えられるので、製造販売時におけるＥ寸法についてこだわる必要はない。
次に、球鎖３や砲弾鎖１１はチューブ４の先端よりＦ寸法だけ長くしておく。Ｆ寸法はＥＤ患者用補助バンド１、１０を男性性器８に取り付け、球鎖３や砲弾鎖１１の先端を引っ張りながら止具２に止めるために必要な長さとするが過大な長さでなければよい。本実施例ではＦ寸法を５ｃｍとした。
止具２はケース５と鋤６とで構成する。ケース５は、立上５ａと底面５ｂとで溝形断面を構成し、内側の入口５ｅ近くにバネ材からなる２枚のストッパ５ｄを取り付ける。２枚のストッパ５ｄの間隔は入口５ｅ側から出口５ｆ側に向うに従い徐々に小さくなるようにする。バネ材とは力を加えると弾性変形をするが力を除くと元に戻る性質を有する材料をいい、バネ鋼だけでなく弾性を有するプラスチックでも構わない。
【０００９】
また、入口５ｅ近くの立上５ａの上部に止穴５ｇを、出口５ｆ近くの立上５ａの上部には軸穴５ｈを明けた。ケース５の底面５ｂはなだらかな曲面として男性器８の曲面に近づけ、出口５ｆの下部には端板５ｃを取り付けた。
鋤６は開口６ｇを有する概略長方形の板をなだらかな曲面形状とした板部６ｄと、先端６ｅに曲部と先端部両側に突起６ｆとを有する概略長方形のアーム部６ｃとが互いに鋭角的に結合した形状を有するものとし、結合する部分には回転軸６ａを設けた。
ここで、板部６ｄの開口６ｇは球鎖の球部３ａの直径や砲弾鎖１１の砲弾部１１ａの円柱体の直径より大きな寸法とする。また、板部６ｄやアーム部６ｃの幅はケース５の内幅より少し小さい寸法とする。
球鎖３は球形の球部３ａを、砲弾鎖１１は円柱体と球形の半分を結合させた砲弾形状を有する砲弾部１１ａを、それぞれ連結部３ｂ、１１ｂで鎖状に連結したものであって、結合部３ｃ、１１ｃによりケース５の端板５ｃと結合させた。
第１実施例では球部３ａの直径が２．５ｍｍの球鎖３、第２実施例では砲弾部１１ａの円柱体の直径の寸法が２．２ｍｍの砲弾鎖１１を使用したが、球部や砲弾部の円柱体の直径は２〜３ｍｍの寸法のものが好ましい。
チューブ４は柔らかな材料を使用し、円筒断面あるいは楕円断面を有するものとし、その一端をケース５の端板５ｃに結合しその一部を座部４ａとしてケース５の底面５ｂを覆うようにした。本実施例においてはチューブ４の材料としてシリコンゴムを使用した。
【００１０】
以上の実施例のＥＤ患者用補助バンド１、１０を使用するときは、これを男性性器８の根元に取り付け、鋤６を持ち上げた状態で球鎖３又は砲弾鎖１１の先端をケースの入口５ｅから入れて、ストッパ５ｄの間と開口６ｇの中を通し、次に球鎖３又は砲弾鎖１１の先端をケースの出口５ｆから出して、鋤のアーム部６ｃを押し込むと突起６ｆがケースの止穴５ｇにはまり込み鋤６は固定される。
その後、球鎖１や砲弾鎖１１の先端を引っ張り男性性器８をくくり締めると、ストッパに接触する球部３ｄ又は砲弾部１１ｄがストッパ５ｄにより止められるため、締め付け力を調節して適度に静脈を狭めたまま固定する効果が得られる。
また、解放するときはアーム部６ｃの先端６ｅを指で押し上げると、板部６ｄも上昇しストッパと接触する球部３ｄ又は砲弾部１１ｄを持ち上げるので、球鎖３や砲弾鎖１１はストッパ５ｄから解放されゆるむ。
砲弾鎖１１は球鎖３と比べ、ストッパ５ｄとの接触部１１ｅが平面であるためストッパとして安定した性能を発揮し、また接触面積が大きく高い引っ張り力に耐えことができるため小さなものとすることができる。このため、より小型なＥＤ患者用補助バンドとすることが可能となり、使いやすさの点で好ましい。
【００１１】
次に、第３実施例について図９、図１０に、第４実施例について図１１、図１２に示し説明する。第３、第４実施例では止具７と、これに連結した球鎖３若しくは砲弾鎖１１と、これを覆うチューブ４であって柔軟性を有するものとで構成する。第３、第４実施例は第１、第２実施例に対し止具７のみを変更した構成としたため、止具以外の部分に関する説明は割愛する。
止具７は、立上７ａと底面７ｂとで溝形断面を構成したもので、内側の入口近くに２枚のストッパ７ｄを取り付け、２枚のストッパ７ｄの間に球鎖３の球部３ａの直径や砲弾鎖１１の砲弾部１１ａの円柱体の直径より小さく、かつ、連結部３ｂ、１１ｂより大きなスリット７ｅを設けたことを特徴とする。
第３、第４実施例のＥＤ患者用補助バンドを使用するときは、これを男性性器８の根元に取り付け、球鎖３や砲弾鎖１１の先端を引っ張り男性性器をくくり締めた後に、球鎖３や砲弾鎖１１の連結部３ｂ、１１ｂをスリット７ｅに差し込むと、球部３ｄや砲弾部１１ｄがストッパ７ｄにより止められるため、締め付け力を調節して適度に静脈を狭めたまま緩むことなく固定する効果が得られる。
また、解放するときは玉鎖３や砲弾鎖１１の先端を持って上に持ち上げると、ストッパ７ｄに押しとどめられている球部３ａや砲弾部１１ｄも一緒に持ち上がるので、球鎖３や弾鎖１１はストパ７ｄから解放されてゆるむ。
【００１２】
さらに第５実施例について図１３、図１４に示し説明する。第５実施例のＥＤ患者用補助バンド２０は止具２１と、これに連結したベルト２２とこれを覆うチューブ２３であって柔軟性を有するものとで構成する。
止具２１はケース２５と蓋２４とからなり、ケース２５に対し蓋２４を回転軸２５ａを中心として揺動可能に取り付けた。また、ケース２５に止穴２５ｂを蓋２４には突起２４ｂを設けた。
蓋２４の側面２４ａには軸２６を取り付け、軸２６には一方向クラッチ２６ｂを介して歯付車２７を取り付け、歯付車２７は矢印２６ａの方向にのみ回転し逆方向には回転しない構成とした。
ベルト２２の先端部に複数の溝２２ａを設け、歯付車２７の歯２７ａのピッチとベルト２２の溝２２ａのピッチを互いにかみ合うように一致させ、歯付車の外周２７ｂとケースの内面２５ｃとの隙間をベルトの薄部２２ｃの厚さより少し大きく、かつ、厚部２２ｂの厚さより小さくし、さらに、歯付車の内周２７ｃとケースの内面２５ｃとの隙間をベルトの厚部２２ｂの厚さより少し大きくした。
第５実施例のＥＤ患者用補助バンド２０を使用するときは、これを男性性器８の根元に取り付け、蓋２４を持ち上げた状態でベルト２２の先端をケース２５の中を貫通させ、ベルトの溝部２２ａと歯付車２７の歯２７ａの位置を一致させ、蓋２４を押し込むと突起２４ｂがケースの止穴２５ｂにはまり込み蓋２４は固定される。
その後、ベルト２２の先端を引っ張り男性性器８をくくり締める。歯付車２７はベルト２２で男性性器８をくくり締める方向には回転するが、ベルト２２を弛める方向には回転しないので、締め付け力を調節して適度に静脈を狭めたまま固定することができる。
また、解放するときは蓋２４の先端を指で押し上げると、歯付車２７も上昇しベルト２２の溝部２２ａから歯付車の歯２７ａが抜け出るため、ベルト２２は解放されゆるむ。
【００１３】
さらに第６実施例について図１５乃至図１７に示し説明する。第６実施例のＥＤ患者用補助バンド１２はリングストッパ１４とこれに連結したベルト１６とベルトを覆うチューブ１５であって柔軟性を有するものとで構成する。
リングストッパ１４はリング形状のバネ材からなる輪部１４ａと、上ストッパ１４ｂと下ストッパ１４ｄとからなり、上ストッパ先端部１４ｃと下ストッパ先端部１４ｅとを、中心に向かうに連れてベルト１６の出口方向に向かうよう少し傾斜させた。
そして、上ストッパ先端部１４ｃと下ストッパ先端部１４ｅとの隙間１４ｆは、ベルト１６の厚部１６ａの厚さより小さく、また、ベルト１６の薄部１６ｂの厚さより少し大きくした。
ベルト１６の先端部は厚部１６ａと薄部１６ｂとからなり複数の溝部１６ｃを有するものとする。また、溝部１６ｃのベルト先端側の段差面１６ｄはベルト１６の中心に向かうに連れベルト１６の先端方向に向かうよう少し傾斜させた。
また、チューブ１５の一方の一部をリングストッパ１６に結合させ、一部をリングストッパ１６の下を越えて反対側まで伸ばし延長部１５ａとした。
第６実施例にかかるＥＤ患者用補助バンド１２を使用するときは、これを男性性器の根本に取り付け、ベルト１６の先端をリングストッパ１６の隙間１４ｆに差し込み、ベルト１６を引っ張ると厚部１６ａではリングストッパ１６の隙間１４ｆは押し広げられ、薄部１６ｂでは隙間１４ｆは元に戻る。
このとき、上ストッパ先端部１４ｃと下ストッパ先端部１４ｅとが溝部１６ｃに入り込んでベルト１６の逆戻りを防止するため、適度に締め付け力を調整しつつ男性性器をくくり締めることができる。
本実施例では、上ストッパ先端部１４ｃと下ストッパ先端部１４ｅとベルト１６の段差面１６ｄをリングストッパ１４の出口側に傾斜させたため、ベルト１６に対する上下ストッパ１４ｂ、１４ｄの停止性能が向上した。
以上により、男性性器はくくり締められて静脈が狭められるため、海綿体に流れ込んだ血液の流出が止められ、男性性器は膨張し勃起する。
一方、解放するときはリングストッパ１４の輪部１４ａを両側から挟むと、図１７に一点鎖線で示したように、輪部１４ａが長円形状になって上ストッパ１４ｂが上昇し隙間１４ｆが広がるため、ベルト１６をワンタッチで素早く解放することができる。
【００１４】
【発明の効果】
本発明により、医師の診断を必要としないで使用することができ、単純な構成のため誰にでも容易に使用可能で、安価であってポケットに入れて持ち運べるＥＤ患者用補助バンドを提供することができた。
また、男性性器の個人差による太さの違いに容易に適合可能であって、膨張前の男性性器をくくり締めて静脈を狭め、積極的に男性性器の勃起を促す機能を持った、ＥＤ患者用補助バンドを提供することができた。
また、皮膚に接する部分を柔らかな素材のチューブで覆うことにより男性性器に痛みを与えず、かつ、くくり締めた状態からワンタッチの操作により素早く解放することができる、ＥＤ患者用補助バンドを提供することをができた。
このようなＥＤ患者用補助バンドは、多くのＥＤ患者の性生活を豊かにしてパートナーの満足度を高め、夫婦が仲良く暮らすために大きく役立つ。
【図面の簡単な説明】
【図１】第１実施例の斜視図である。
【図２】第１実施例の止具の部分の正面視の断面図である。
【図３】図２のＡ−Ｂ−Ｃ−Ｄ視の断面図である。
【図４】ケースの斜視図である。
【図５】鋤の斜視図である。
【図６】第２実施例の斜視図である。
【図７】第２実施例の止具の部分の正面視の断面図である。
【図８】図７のＡ−Ｂ−Ｃ−Ｄ視の断面図である。
【図９】第３実施例の止具の部分の正面視の断面図である。
【図１０】図９のＪ視平面図である。
【図１１】第４実施例の止具の部分の正面視の断面図である。
【図１２】図１１のＪ視平面図である。
【図１３】第５実施例の斜視図である。
【図１４】第５実施例の止具の部分の正面視の断面図である。
【図１５】第６実施例の斜視図である。
【図１６】第６実施例のリングストッパの部分の正面視の断面図である。
【図１７】第６実施例のリングストッパの側面視の拡大図である。
【図１８】ＥＤ患者用補助バンドの使用状体を示す側面図である。
【符号の説明】
１：ＥＤ患者用補助バンド    ２：止具            ３：球鎖
３ａ：球部                    ４：チューブ        ５：ケース
５ｂ：底面                    ５ｄ：ストッパ      ５ｅ：入口
５ｆ：出口                    ６：鋤              ６ａ：回転軸
６ｃ：アーム部                ６ｄ：板部          ６ｇ：開口
７：止具                      ７ｄ：ストッパ
１０：ＥＤ患者用補助バンド    １１：砲弾鎖        １１ａ：砲弾部
１２：ＥＤ患者用補助バンド    １４：リングストッパ
１４ａ：輪部                  １４ｂ：上ストッパ
１４ｄ：下ストッパ            １４ｆ：隙間        １５：チューブ
１６：ベルト                  １６ａ：厚部        １６ｂ：薄部
１６ｃ：溝部                  ２０：ＥＤ患者用補助バンド
２１：止具                    ２２：ベルト        ２２ａ：溝
２２ｂ：厚部                  ２２ｃ：薄部        ２３：チューブ
２４：蓋                      ２５：ケース        ２５ａ：回転軸
２５ｃ：内面                  ２６：軸            ２６ｂ：一方向クラッチ２７：歯付車                  ２７ａ：歯          ２７ｂ：外周
【図１】
2005261439.tif 000003
【図２】
2005261439.tif 000004
【図３】
2005261439.tif 000005
【図４】
2005261439.tif 000006
【図５】
2005261439.tif 000007
【図６】
2005261439.tif 000008
【図７】
2005261439.tif 000009
【図８】
2005261439.tif 000010
【図９】
2005261439.tif 000011
【図１０】
2005261439.tif 000012
【図１１】
2005261439.tif 000013
【図１２】
2005261439.tif 000014
【図１３】
2005261439.tif 000015
【図１４】
2005261439.tif 000016
【図１５】
2005261439.tif 000017
【図１６】
2005261439.tif 000018
【図１７】
2005261439.tif 000019
【図１８】
2005261439.tif 000020